(57)【要約】      （修正有）【課題】長方形状の板材のような長尺材料を研掃する研掃装置において、利便性を有する研掃装置を提供する。【解決手段】長尺材料Ｗが水平に貫通可能な中空室７を構成しかつ水平方向へ移動可能な包囲手段1と、包囲手段の下部に装着されて中空室を貫通する長尺材料に向けて斜め上方へ砥粒を投射するインペラ９を有する１個の遠心式砥粒投射装置２と、包囲手段の上部内面に装着されて遠心式砥粒投射装置から投射された砥粒を下方へ向けて反射させる反射部材３と、包囲手段の下部内の砥粒を遠心式砥粒投射装置に送り込む砥粒送込み手段４とを備える。【選択図】  図１
2006123139.tif 000002
【特許請求の範囲】
【請求項１】
移動しながら砥粒を投射して長尺材料を研掃する装置であって、
前記長尺材料が水平に貫通可能な中空室を構成しかつ水平方向へ移動可能な包囲手段と、
この包囲手段の下部に装着されて前記中空室を貫通する前記長尺材料に向けて斜め上方へ砥粒を投射するインペラを有する１個の遠心式砥粒投射装置と、
前記包囲手段の上部内面に装着されて前記遠心式砥粒投射装置から投射された砥粒を下方へ向けて反射させる反射部材と、
前記包囲手段の下部内の砥粒を前記遠心式砥粒投射装置に送り込む砥粒送込み手段と、
を備えたことを特徴とする移動式の長尺材料用研掃装置。
【請求項２】
請求項１に記載の移動式の長尺材料用研掃装置において、
前記砥粒送込み手段は前記インペラの中心に砥粒を送り込むスクリュウコンベアであることを特徴とする移動式の長尺材料用研掃装置。
【請求項３】
請求項1または2に記載の移動式の長尺材料用研掃装置において、
前記包囲手段は、前記長尺材料を支持する支持手段に水平移動自在に装着されたことを特徴とする移動式の長尺材料用研掃装置。
【発明の詳細な説明】
【技術分野】
【０００１】
本発明は、移動しながら砥粒を投射して、長い寸法の平板、角材、帯板、その他角部が鈍角を成す異形材などの長尺材料を研掃するのに好適な装置に関する。      
【背景技術】
【０００２】
従来、長尺材料の研掃は、一般に砥粒投射装置を装着して研掃室を構成するキャビネット内に長尺材料を通過させて行っている。    
【０００３】
しかし、このように構成された従来の研掃装置では、研掃装置が設置された工場内に長尺材料に持ち込んで研掃を行う必要があり、このため、例えば、環境に有害な物質が付着した長尺材料等を多数研掃する場合には、利便性に欠けるなどの問題があった。
【発明の開示】
【発明が解決しようとする課題】
【０００４】
解決しようとする問題点は、設備を構成する部品の一つではあるが、有害物質が付着した長尺材料等を多数研掃する場合には、従来の研掃装置では利便性に欠ける点である。      
【課題を解決するための手段】
【０００５】
上記の問題を解消するために本発明における移動式の長尺材料用研掃装置は、移動しながら砥粒を投射して長尺材料を研掃する装置であって、前記長尺材料が水平に貫通可能な中空室を構成しかつ水平方向へ移動可能な包囲手段と、この包囲手段の下部に装着されて前記中空室を貫通する前記長尺材料に向けて斜め上方へ砥粒を投射するインペラを有する１個の遠心式砥粒投射装置と、前記包囲手段の上部内面に装着されて前記遠心式砥粒投射装置から投射された砥粒を下方へ向けて反射させる反射部材と、前記包囲手段の下部内の砥粒を前記遠心式砥粒投射装置に送り込む砥粒送込み手段と、を備えたことを特徴とする。
【０００６】
このように構成されたものは、包囲手段に長尺材料を差し込んだのち、遠心式砥粒投射装置から砥粒を投射しながら長尺材料に沿って研掃装置全体を移動させる。これにより、長尺材料を研掃することができる。
【発明の効果】
【０００７】
以上の説明から明らかなように本発明は、長尺材料が水平に貫通可能な中空室を構成しかつ水平方向へ移動可能な包囲手段と、この包囲手段の下部に装着されて前記中空室を貫通する前記長尺材料に向けて斜め上方へ砥粒を投射するインペラを有する１個の遠心式砥粒投射装置と、前記包囲手段の上部内面に装着されて前記遠心式砥粒投射装置から投射された砥粒を下方へ向けて反射させる反射部材と、前記包囲手段の下部内の砥粒を前記遠心式砥粒投射装置に送り込む砥粒送込み手段と、を備えたから、包囲手段に長尺材料を差し込んだのち、遠心式砥粒投射装置から砥粒を投射しながら長尺材料に沿って研掃装置全体を移動させるだけで、長尺材料を適確に研掃することができるなどの優れた実用的効果を奏する。
【発明を実施するための最良の形態】
【０００８】
以下、本発明を適用した移動式の長尺材料用研掃装置の最良の形態について図１&#12316;図3に基づき詳細に説明する。本移動式の長尺材料用研掃装置は、長尺材料としての長方形状の板材Ｗの平坦面が水平方向へ延びた状態で貫通可能な中空室を構成しかつ水平方向へ移動可能な包囲手段1と、この包囲手段1の下部に装着されて前記中空室を貫通する前記板材Ｗに向けて斜め上方へ砥粒を投射するインペラを有しかつ投射されて扇状に広がる砥粒群が板材Ｗとほぼ直交する１個の遠心式砥粒投射装置2と、前記包囲手段1の上部内面に装着されて前記遠心式砥粒投射装置2から投射された砥粒を下方へ向けて反射させる反射部材3と、前記包囲手段1の下部内の砥粒を前記遠心式砥粒投射装置2に送り込む砥粒送込み手段としてのスクリュウコンベア4とで、構成してある。
【０００９】
そして、前記包囲手段1は、下細り状の空間を形成しかつ、図２に示すように、上部の左右両外面に複数のローラ5・5を前後方向へ適宜の間隔を置き並べて軸着したホッパ6と、このホッパ6の上端開口部を包囲するようにして空間を形成する、縦断面がアーチ状のフード7とで構成してあり、前記複数のローラ5・5は、板材を支持する支持手段２０の上面に水平移動自在にして装架してあって、前記包囲手段1は、図１において前記複数のローラ5・5を介して前記支持手段２０の上面上を左右方向へ移動できるようになっている。また、前記フード7の天井部の下面中央付近には前記反射部材3が装着してあり、さらに、前記フード7の天井部には砥粒の飛出しを防止する多数のゴム暖簾8・8が左右方向へ適宜の間隔を置いて垂設してある。また、図1に示すように、前記ホッパ6の左側には図示しない集塵機と連通する吸引口（図示せず）が設けてあり、さらに、前記ホッパ6の右側には飛散した砥粒を回収する受けホッパ９が設けてある。
【００１０】
また、前記遠心式砥粒投射装置2は、図３に示すように、インペラ9と、インペラ9を包囲するケース10と、前記インペラ9内に砥粒を分散するデストリビュータ11と、インペラ9およびデストリビュータ11を回転させるモータ12とで構成してある。
【００１１】
また、前記スクリュウコンベア4は、前記ホッパ6の下端開口部に装着した左端閉鎖の樋状のカバー13と、カバー13内に回転自在に配設したスクリュウ軸14と、カバー13内に装着して砥粒の搬入口15および搬出口16を形成する遮蔽部材17と、前記スクリュウ軸14を回転させるモータ18とで構成してあって、前記搬入口15から前記カバー13内に進入した砥粒を、スクリュウ軸14の回転により前記遠心式砥粒投射装置2の前記デストリビュータ11の中心に向けて送り込むことができるようになっている。
【００１２】
このように構成したものは、スクリュウコンベア4のモータ18の駆動によりスクリュウ軸14を回転させてホッパ6内の砥粒を、カバー13内を通して遠心式砥粒投射装置2のデストリビュータ11内に送り込むとともに、遠心式砥粒投射装置2のモータの駆動によりインペラ9等を回転させて砥粒を反射部材3の方向へ投射しながら、板材Ｗをフード7内に差し込んだのち、支持手段２０を介して研掃装置全体を板材Ｗに沿って左方へ移動させる。これにより、板材Ｗの下面を研掃することができる。
【図面の簡単な説明】
【００１３】
【図１】本発明の最良の形態を示す正面図である。
【図２】図１の右側面図である。
【図３】図1のＡ部拡大詳細図である。
【符号の説明】
【００１４】
1          
包囲手段
2          
遠心式砥粒投射装置
3          
反射部材
4          
スクリュウコンベア
9    インペラ
【図１】
2006123139.tif 000003
【図２】
2006123139.tif 000004
【図３】
2006123139.tif 000005